(57)【特許請求の範囲】
【請求項１】
被写体の輝度を測光する測光部と、
高速で繰り返し発光するＦＰ発光可能な補助照明部と、
前記補助照明部を第１のＦＰ発光したときの前記測光部の出力に基づいて、撮影時の露出値を決定する露出演算部と、
前記露出演算部で決定した露出値での撮影を行うとともに、前記第１のＦＰ発光と同じ強度で前記補助照明部により第２のＦＰ発光を行わせる制御部と、
を備えた撮影システム。
【請求項２】
請求項１に記載の撮影システムにおいて、
前記補助照明部は、前記測光部の出力と前記被写体の撮影距離とに基づく発光量で前記第１のＦＰ発光を行うこと
を特徴とする撮影システム。
【請求項３】
請求項１または２に記載の撮影システムにおいて、
前記制御部は、前記撮影距離が短いほど前記補助照明部のＦＰ発光の強度を小さくすること
を特徴とする撮影システム。
【請求項４】
請求項１または２に記載の撮影システムにおいて、
前記照明制御部は、非照明時に前記測光部により測光された被写体の輝度に応じて、前記補助照明部のＦＰ発光の強度を変化させること
を特徴とする撮影システム。
【発明の詳細な説明】
【０００１】
【発明の属する技術分野】
本発明は、フラッシュライト等の補助照明光を用いて撮影を行う撮影システムに関するものである。
【０００２】
【従来の技術】
従来、この種の撮影システムは、例えば、フォーカルプレーンシャッターを用いたカメラにおいて、日中シンクロ等のように、高速シャッター使用時にも使用可能な補助照明光として、フラッシュライトを高速で繰り返し点灯させることにより、連続的に発光（フラット発光，ＦＰ発光などと略称される）が可能な補助光を用いるものが知られている（特開昭５７−１０５７２６号など）。
【０００３】
【発明が解決しようとする課題】
しかし、前述した従来の技術では、このＦＰ発光を使用した撮影時の露出決定は、通常の閃光発光を行うフラッシュライト等と異なる計算となり、ＦＰ発光の強度と、被写体までの距離と、被写体の輝度とを用いた複雑なものであった。また、距離の検出誤差が大きいと、誤差が大きくなるという問題があった。
【０００４】
特開平９−４３６７０号は、予備ＦＰ発光下で測光を行い、本ＦＰ発光時には、予備ＦＰ発光時の波高値の２G 倍（本ＦＰ発光を予備ＦＰ発光よりもＧ段分強い発光強度）に制御することを提案しているが、細かいＦＰ発光の波高値の制御が必要となる。
【０００５】
本発明の目的は、前述した課題を解決して、簡単な構成により、精度の高い自動露出制御が可能な撮影システムを提供することである。
【０００６】
【課題を解決するための手段】
前記課題を解決するために、請求項１の発明は、被写体の輝度を測光する測光部と、高速で繰り返し発光するＦＰ発光可能な補助照明部（Ｓ９，Ｓ１４）と、前記補助照明部を第１のＦＰ発光したときの前記測光部の出力に基づいて、撮影時の露出値を決定する露出演算部と、前記露出演算部で決定した露出値での撮影を行うとともに、前記第１のＦＰ発光と同じ強度で前記補助照明部により第２のＦＰ発光を行わせる制御部と、を備えた撮影システムである。
【０００７】
請求項２の発明は、請求項１に記載の撮影システムにおいて、前記補助照明部は、前記測光部の出力と前記被写体の撮影距離とに基づく発光量で前記第１のＦＰ発光を行うことを特徴とする撮影システムである。
【０００８】
請求項３の発明は、請求項１または２に記載の撮影システムにおいて、前記制御部は、前記撮影距離が短いほど前記補助照明部のＦＰ発光の強度を小さくすることを特徴とする撮影システムである。
請求項４の発明は、請求項１または２に記載の撮影システムにおいて、前記照明制御部は、非照明時に前記測光部により測光された被写体の輝度に応じて、前記補助照明部のＦＰ発光の強度を変化させることを特徴とする撮影システムである。
【０００９】
【発明の実施の形態】
次に、本発明の実施の形態をあげて、図面に基づいて説明する。
図１は、本発明の実施形態に係るカメラの構成を示した図である。
本実施形態のカメラにおいて、撮影レンズ１を通過した光束は、絞り２を介して、クイックリターンミラー３によって折り曲げられ、拡散スクリーン７上にいったん結像する。その後に、ペンタプリズム８、接眼レンズ９等を通って撮影者の目に到達する。
【００１０】
一方、拡散スクリーン７によって拡散された光束の一部は、ペンタプリズム８、測測光用レンズ１０を通して、測光用受光素子１１上へ再結像される。
撮影時には、絞り２が所定値まで絞られると同時に、クイックリターンミラー３が跳ね上げられる。そして、フォーカルプレーンシャッタ４は、シャッター先幕４１、シャッター後幕４２の順に走行して、フィルム面５上に光束を結像させる。
【００１１】
制御回路６は、測光用受光素子１１によって測光された被写体の輝度に基づいて、撮影時の露出値（絞り値とシャッタ秒時）を演算する回路であり、演算結果は、絞り２の駆動回路（不図示）、フォーカルプレーンシャッタ４の駆動回路（不図示）に出力される。
また、制御回路６は、測光時及び露光時における、高速で繰り返す発光（以下、予備ＦＰ発光、本ＦＰ発光と呼ぶ）により、補助照明を制御する信号を生成して、発光管駆動回路１２を介して、発光管１３をＦＰ発光させる。
【００１２】
次に、図２のフローチャートに基づいて、本実施形態の動作を説明する。
図示しないシャッターレリーズボタンの押下に伴って、以下に示す図２のルーチンが開始される。ここでは、あらかじめシャッター秒時が設定されており、被写体輝度により自動的に絞り値を決定するシャッター優先自動露出の場合を例にして説明する。
【００１３】
ステップ１では、被写体距離Ｄｉｓｔを取得する。
ステップ２では、定常光輝度Ｂｖ０を取得する。
ステップ３では、ＦＰ発光の強度Ｉｆｐを、次式を用いて演算する。
Ｉｆｐ＝Ｉ０＊Ｋｄ（Ｄｉｓｔ）＊Ｋｂ（Ｂｖ０）    …（１）
ただし、Ｉ０は最大発光強度である。ＦＰ発光の強度Ｉｆｐについては、後で詳細に説明する。
【００１４】
ステップ４では、発光管９の予備ＦＰ発光を強度Ｉｆｐで開始する。
ステップ５では、被写体輝度Ｂｖを取得する。ここでは、３回から４回の測光値を取得して、その平均値をＢｖ値とする。
ステップ６では、予備ＦＰ発光を終了する。予備ＦＰ発光についても、後で詳細に説明する。
【００１５】
ステップ７では、被写体輝度Ｂｖと、フィルム感度のアペックス値Ｓｖと、あらかじめ設定されたシャッター秒時のアペックス値Ｔｖとにより、絞りのアペックス値Ａｖを、次式から求める。
Ａｖ＝Ｂｖ＋Ｓｖ−Ｔｖ  …（２）
ステップ８では、ミラーアップ及びステップ７で決定したＡｖ値まで絞りを絞り込む。
【００１６】
ステップ９では、再び、ＦＰ発光を強度Ｉｆｐで開始する。
ステップ１０では、シャッターの先幕４１の走行を開始する。
ステップ１１では、設定されたシャッター秒時だけフィルムが露光されているか否かを判定し、設定されたシャッター秒時が経過した場合には、ステップ１２に進む。
【００１７】
ステップ１２では、シャッターの後幕４２の走行を開始する。
ステップ１３では、シャッター後幕４２が走行を終了し、フィルム面を完全に遮光したか否かを判定し、シャッター後幕４２の走行が終了した場合には、ステップ１４に進む。
ステップ１４では、ＦＰ発光を終了し、このルーチンを終了する。
【００１８】
次に、本実施形態による予備ＦＰ発光と本ＦＰ発光の補助光制御動作を、図３〜図５を参照しながら、さらに詳しく説明する。
図３は、本発明の実施形態に係るカメラの動作を説明するタイムチャートである。
図示しないシャッターレリーズボタンが押下されると、撮影（Ｓ１０〜Ｓ１３）に先立って、発光管１３のＦＰ発光が開始され（Ｓ４）、被写体が照明される。ここで、ＦＰ発光の強度は、撮影レンズ１の設定距離情報と被写体輝度に基づいて、発光管駆動回路１２に設定する。
【００１９】
まず、ｔ１〜ｔ２の間に、測光用受光素子１１により、被写体の輝度（Ｂｖ０）を測定する。ただし、測定は、ＦＰ発光が安定してから開始し、測光の精度を高めるために、輝度の測定は、３から４回行い、測光値を平均する。
被写体輝度の測光が終了したら（ｔ２の時点）、直ちに、予備ＦＰ発光を終了する（Ｓ６）。
【００２０】
次に、ｔ２〜ｔ３の時点で、被写体輝度の測光値とフィルム感度とに基づいて、シャッタ４のシャッター秒時、絞り２の絞り値を決定する露出演算を行い（Ｓ７）、クイックリターンミラー３の跳ね上げ及び上記のように決定した絞り値に基づいた撮影レンズ１の絞り２の絞り込みを行う（Ｓ８）。
【００２１】
この後に、ｔ３〜ｔ６の間に、撮影用に、再び、発光管９のＦＰ発光を開始する（Ｓ９〜Ｓ１４）。本ＦＰ発光の発光強度は、予備ＦＰ発光と同じ強度（同じ波高）とする。
まず、ｔ３の時点で、シャッター先幕４１を走行させ（Ｓ１０）、フィルム面５の露光を開始する。ついで、上記のように決定したシャッター秒時により、フィルムに露光がされた場合には（Ｓ１１）、ｔ４の時点で、シャッター後幕４２を走行させる（Ｓ１２）。
【００２２】
ｔ６の時点で、シャッター後幕４２の走行が終了し、フィルムの露光が完了した場合には（Ｓ１３）、ＦＰ発光を終了する（Ｓ１４）。
なお、測光時において、予備ＦＰ発光下での測光は、短時間で終了するので、撮影時の発光可能時間が大きく減少することはない。
【００２３】
図４は、ＦＰ発光の強度を被写体距離に応じて設定する関数を示す図である。被写体距離が近距離の場合に、ＦＰ発光の強度が遠距離と同じでは被写体が明るく照明されるために、露出が切りつめられ、背景の露出が暗くなってしまう。
そこで、図４のように、遠距離に比較して、近距離の発光強度が小さくなるように、被写体距離Ｄｉｓｔのときの発光強度係数Ｋｄ（Ｄｉｓｔ) を設定する。なお、この被写体距離Ｄｉｓｔは、撮影レンズ１の位置から検出することができる。
【００２４】
図５は、ＦＰ発光の強度を非照明時の被写体輝度に応じて設定する関数を示す図である。非照明時の輝度が暗くなると、照明された被写体に比較して、背景の明るさが、相対的に暗くなってしまう。
そこで、図５に示すように、高輝度時に比較して、低輝度時では発光強度が小さくなるように、非照明時の定常光輝度Ｂｖ０のときの発光強度係数Ｋｂ（Ｂｖ０）を設定する。
【００２５】
ＦＰ発光の発光強度Ｉｆｐは、前述した数式（１）に従って、関数ＫｄとＫｂの積により決定する。
このように、予備発光時や本発光時のＦＰ発光の強度を、撮影距離や被写体輝度に応じて変化させるようにしたので、様々な撮影シーンにおいて、背景と照明された被写体とのバランスがとれた優れた映像が撮影可能となる。
【００２６】
本実施形態によれば、撮影前に予備ＦＰ発光を所定時間だけ行い、予備ＦＰ発光により照明された被写体の輝度を測光することにより、撮影時の露出制御量を決定するようにしたので、ＦＰ発光撮影時でも距離の誤差によらず、従来の測光装置をそのまま使用して、最適な露出制御が可能となる。
【００２７】
（変形形態）
以上説明した実施形態に限定されることなく、種々の変形や変更が可能であって、それらも本発明の均等の範囲内である。
（１）  絞り優先自動露出では、ステップ７がＴｖを求める演算となる。
Ｔｖ＝Ｂｖ＋Ｓｖ−Ａｖ  …（３）
【００２８】
（２）  プログラム自動露出では、露光量Ｅｖを求めて、Ｅｖ値からあらかじめ決められた組み合わせＰ（Ｅｖ）により、Ｔｖ値とＡｖ値を求めるようにすればよい。
Ｅｖ＝Ｂｖ＋Ｓｖ，（Ｔｖ、Ａｖ）＝Ｐ（Ｅｖ）  …（４）
【００２９】
（３）  なお、連続撮影、又は、シャッター秒時や絞りを少しづつ変更して同じ被写体を撮影する、いわゆるブラケット撮影を行う場合には、２枚目以降の予備発光は行わず、１回目の予備発光データに基づいて、２回目以降の撮影を行えばよい。
【００３０】
（４）  フォーカルプレーンシャッタを用いたものであれば、デジタルカメラにも使用することができる。
（５）  ＦＰ発光測光スイッチを設け、Ｓ１〜Ｓ７までの動作を行った後に、レリーズすることなしに、シャッタ秒時と絞り値を表示するようにしてもよい。
【００３１】
【発明の効果】
以上説明したように、本発明によれば、予備ＦＰ発光を行って、測光値を検出するようにしたので、簡単な構成により、ＦＰ発光の精度の高い、自動露出が可能となり、高速シャッター秒時を使用したときでも、補助照明による精度のよい自動露出撮影が可能となる。
【００３２】
また、予備発光及び露光時のＦＰ発光の強度を、撮影距離や被写体輝度に応じて変化させるようにしたので、様々な撮影シーンにおいて、背景と照明された被写体とのバランスがとれた優れた映像が撮影可能となる。
【図面の簡単な説明】
【図１】本発明の実施形態に係るカメラの構成を示した図である。
【図２】本発明の実施形態に係るカメラの動作を説明するフローチャートである。
【図３】本発明の実施形態に係るカメラの動作を説明するタイムチャートである。
【図４】ＦＰ発光の強度を被写体距離に応じて設定する関数を示す図である。
【図５】ＦＰ発光の強度を非照明時の被写体輝度に応じて設定する関数を示す図である。
【符号の説明】
１  撮影レンズ
２  絞り
３  クイックリターンミラー
４  フォーカルプレーンシャッタ
４１  シャッター先幕
４２  シャッター後幕
５  フィルム面
６  制御回路
７  拡散スクリーン
８  ペンタプリズム
９  接眼レンズ
１０  測測光用レンズ
１１  測光用受光素子
１２  発光管駆動回路
１３  発光管
【図１】
0004453121.tif 000002
【図２】
0004453121.tif 000003
【図３】
0004453121.tif 000004
【図４】
0004453121.tif 000005
【図５】
0004453121.tif 000006